(57)【要約】      （修正有）【課題】一般的なビデオテープレコーダーに用いるビデオカセットのリールに巻かれている磁気テープのテープ残量を正確に把握できるようにする。【解決手段】ビデオカセット本体１において供給側リール４の内底面８にテープ残量の把握用の色彩１３や目盛り１６を設ける。【選択図】図１
0003136284.tif 000002
【実用新案登録請求の範囲】
【請求項１】
一対のリール間に渡って展開された磁気テープを収納する箱状のビデオカセットであって、このビデオカセット本体（１）を構成している透明窓部（２）と、透明窓部（２）から目視できるリール（４、５）と、前記リール（４、５）を構成している内底面（８、９）と、前記内底面（８、９）のうち少なくとも一方に着色されている色彩（１３）と、を有するラベル（２０）を使用しないことを特徴とするビデオカセット。
【請求項２】
前記内底面（８、９）の少なくとも一方の内底面で、同心円状に複数色の色彩（１３a、１３b、１３c）を施したことを特徴とする、前記請求項1記載のビデオカセット。
【請求項３】
前記内底面（８、９）の少なくとも一方の内底面で、テープ残量の把握用の目盛り（１６）設けたことを特徴とする、前記請求項1記載のビデオカセット。
【請求項４】
磁気テープを収納する箱状のビデオカセットを有しないオープンリール（３０）であって、このオープンリール（３０）を構成している一対の面（３１）と、前記一対の面（３１）の回転面ともう片方の回転面とを繋ぐ回転軸（３２）と、前記一対の面（３１）のうち少なくとも一方の面に設けた目盛り（３３）と、を有することを特徴とするオープンリール。
【考案の詳細な説明】
【技術分野】
【０００１】
この考案はビデオテープレコーダーで用いるビデオカセットにおいて、使用途中位置から最後までの磁気テープ残量分の録画可能時間を把握しようとする技術である。
【背景技術】
【０００２】
従来、一般的なビデオテープレコーダーに用いるビデオカセットでは一本に何種類かの内容を分割して録画することがある。即ち磁気テープの途中より新たに録画を追加して行うことであり、このような磁気テープの途中より録画を行うときは、その途中より後どれだけの時間の録画が可能かを把握することが必要である。
【０００３】
従来ではこのテープ残量の把握は、ビデオカセット使用開始前の磁気テープの展開状態（図３のテープ状態）と、使用途中のテープ展開状態（図５のテープ状態）とを比較し、供給側のリールに巻かれている磁気テープがどれだけ減少したかを、おおよその目安として目測していた。
【０００４】
従来では図３の様なビデオカセット使用開始前の状態において、左側のリールに磁気テープが満杯の状態となっている。しかし、従来の内底面は無色もしくは白色、なお且つ無字であるため両リールを区別する要素がなかった。すると磁気テープが満杯状態で巻かれているリールが、ビデオカセット使用開始前の状態の供給側（図３における左側）なのか巻取側（図３における右側）なのか判別不能となる。つまり、テープ残量把握の際は図３における左側に供給側リールがあり、ビデオカセット使用開始前の状態で左側に磁気テープが満杯で巻かれていることを、記憶しておかなければならなかった。
【０００５】
また、図２の公知文献１ではテープ残量の把握にラベル（２０）を必要としていた。磁気テープの状態を目視できる透明窓部（２）にラベル（２０）を設け、そこに記述された目盛（２１）と磁気テープ展開位置との関係で残量を見て、時間表示によるテープ残量を算出していた。
【特許文献１】実用新案公開平06−058487
【考案の開示】
【考案が解決しようとする課題】
【０００６】
使用途中である磁気テープの残量を把握する際、リールに巻かれている磁気テープの量をおおよその目安として目視するという方法を用いていたため、残量を正確に把握するのがきわめて困難であった。
【０００７】
また、ビデオテープレコーダーに表示されるカウンターの時間は、テープ展開位置やテープ残量を表すものではなく、ビデオカセット挿入時からの相対的な時間経過である事が多い。そのためテープ残量を把握する為には、ビデオテープレコーダーに表示されるカウンターの数値を覚えておき、一度ビデオカセットを先頭又は最後尾まで巻きりカウンターの数値が変動した時間を算出する方法があるが、計測に時間がかかり不便である。
【０００８】
また、ある種のビデオテープレコーダーではビデオカセットをセットしたとき、残量をセンサーで測定しテープ残量を表示するといった機能を有するものもあるが、計測する機能を付加した機器は高価でもあり、テープ残量の把握のためだけに、ビデオテープレコーダーにビデオカセットをセットしなければならないという問題点を有する。
【０００９】
テープ残量を目視で算出する際は、ビデオカセット使用開始前の状態で満杯状態となっている供給側の磁気テープが、図３において左側にある事を記憶しなければならず、不確実な算出方法となっている。更に両リールを区別する要素がないため、リールを誤認してしまう可能性があった。そのため意図したテープ残量ではなくなり、録画の途中でテープ残量がなくなり録画が不可能となる不具合が生じることがあった。例えば、ビデオカセット使用後は巻取側リールに磁気テープが満杯の状態であるが、供給側リールに磁気テープが満杯にある、と誤認してしまうことでビデオカセット使用後の状態であってもテープ残量が十分にあると見誤ってしまう。故にテープ残量がなくなり録画が不可能になる不具合が生じることも考えられる。
【００１０】
図２の公知文献1の技術を用いると透明窓（２）の一部を覆うようにラベル（２０）を設けているため、中のテープの様子が明確に確認しにくいという問題があった。またラベル（２０）と磁気テープ（６）には隙間が空いている為、垂直位置より目測しなければ表示がずれてしまい、正確な残量を計測しにくいという問題点を有する。それに加えラベル（２０）を設置する分だけ部材点数が増えコスト高になるという問題、更には表面に余分な表示を施すということで意匠性に欠けるという問題があった。
【００１１】
本考案は上記課題を解決するためになされたものであり、テープ残量の把握が容易、確実で意匠性にも優れたビデオカセットを提供するものである。
【課題を解決するための手段】
【００１２】
一対のリール間に渡って展開された磁気テープを収納する箱状のビデオカセットであって、このビデオカセット本体（１）を構成している透明窓部（２）と、透明窓部（２）から目視できるリール（４、５）と、前記リール（４、５）を構成している内底面（８、９）と、前記内底面（８、９）の内底面うち少なくとも一方に着色されている色彩（１３）と、を有するラベル（２０）を使用しないことを特徴とするビデオカセット。
【考案の効果】
【００１３】
第一の実施の形態では図１における内底面（８）に色彩（１３）を施したことで、両リールを区別する要素となりリールの誤認を避けることができる。そのため誤ることなく確実に、テープ残量を目測することが可能となる。また単に内底面（８）に色を付すだけであり、図２におけるラベル（２０）を使用しないため、コスト的にも安く外見から見たデザイン性にも優れている。
【００１４】
内底面（８）に色彩（１３）が付されることの認知度が増し一般的となった場合には、内底面を広告スペースとして利用可能である。
【００１５】
第二の実施の形態では第一の実施の形態の効果に加え、テープ残量が正確に測定可能となる。ビデオカセット使用開始前には内底面（８）に施された色彩を少量しか目視できないが、使用される状態に応じて色彩の露出度が高まり、図５や図６のように複数の色彩を目視可能となる。露出した内底面の色彩を見分けることでテープ残量がどのくらいあるかを容易に判断することができる。
【００１６】
図６の色分け境界部分（15）よりも細かな目盛り（１６）を内底面に設けることで、テープ残量の精密な把握が可能となる。また、目盛り（１６）に応じたテープ残量を記載することで、テープ残量を明示することも可能である。この目盛り（１６）は図２の公知文献１と異なり、磁気テープ（６）と、目盛り（２１）が記載されたラベル（２０）に隙間が生じない為、垂直位置から目測しなくともずれる事なく様々な角度からも正確に数値を読み取る事が可能である。また、ずれる事がないため従来より精密なテープ残量を表示可能である。
【考案を実施するための最良の形態】
【００１７】
図１は本考案の第一の実施の形態を示す斜視図である。リールの形状を明示する為にビデオカセット本体（１）の蓋を透過して示しており、上蓋に設置された透明窓部（2）は実線で示している。分かり易くするため蓋の一部分を二点鎖線で示している。蓋および透明窓部（２）の内部にリール（４、５）が存在している。供給側リール（４）は平行な二枚の回転面で構成されているが、奥の回転面の内側を内底面（８）とする。リール（４）においてもう一方の内底面（8）ではない手前の回転面は、従来無色透明である。その為、内底面（８）に着色した色彩（１３）を、透明窓部（２）を介して目視可能となっている。
【００１８】
図２は公知文献１の説明用の斜視図である。ビデオカセット本体（１）の上蓋に形成された透明窓部（２）より、中のテープ（６）が目視できる。しかし、透明窓部（２）に設けられたラベル（２０）により、中のテープ（６）が半分程しか確認できない。
【００１９】
図３、図４を用いて本考案の第一の実施の形態を説明する。
第一の実施の形態では、供給側の内底面(8)に単色の色彩(13)を付す事で両リールを区別でき、リールの誤認がなくなる。巻取側リール（５）においては一切着色等を施さず、色彩（13）を有する供給側リール（４）と巻取側リール（５）とを区別する。色彩（１３）は供給側のリール（４）に付すのが好ましい。
【００２０】
図３は蓋を外した状態の上面図である。考案の効果をわかりやすくするため、上蓋に設置された透明窓部（2）を実線で示している。供給側リール（4）が左側にあり、巻取側リール（5）が右側にあることを透明窓部（2）より目視できる。供給側リール（4）に巻かれている磁気テープ（6）の奥の面を内底面（８）とし、巻取側リールの内底面を内底面（9）とする。
図３はビデオカセット使用開始前の状態であるため、供給側リール（4）には磁気テープ（6）が満杯に巻かれていて巻取側リール（5）にはテープが先端しか巻かれていない。磁気テープ（6）の外周である磁気テープ外周（10a）と、遷移中のテープ（12）は、二点鎖線で示している。
【００２１】
供給側リール（4）を構成している内底面（８）には、請求項1記載の色彩（１３）が着色されている。色彩（13）は磁気テープ外周（10a）の外側まで付しているので、磁気テープ（6）が満杯状態であっても色彩（１３）を多少認識可能な状態が望ましい。仮に色彩（１３）を磁気テープ外周（10a）より小さく付してしまうと、色彩（１３）がテープ（6）に隠れてしまい両リールを区別する要素が見えなくなってしまう。また、その状態では従来のビデオカセットと判断がつかず好ましくない。
【００２２】
図４は図３のビデオカセットの動作説明用の図面であり、ビデオカセット使用後のテープ残量がない状態を示している。図３と比較し、供給側リール（4）に巻かれている磁気テープ（6）がなくなっている。また図３での磁気テープ最大外周（10a）は図４での磁気テープ外周（10d）に推移し先端しか巻かれていない状態になっている。磁気テープ(6)がなくなった分、巻取側リール（5）には満杯状態で磁気テープ(7)が巻かれている。
ビデオカセット使用に伴い、内底面（８）の露出度が変化し色彩（13）の露出度が増している。この露出した色彩（13）が両リールを区別する要素となり、テープ残量を把握する際には両リールを誤認時期して目測することがなくなる。
【００２３】
第一の実施の形態はビデオカセット使用開始前の図３の状態で色彩（１３）を少量しか目視できないため、見た目は従来のビデオカセットとほぼ同様である。そしてビデオカセット使用後の図４の状態で色彩（１３）の露出度が増し容易に目視できる状態となってからは、色彩（１３）が磁気テープ（6）に隠れていて目視しにくかったことが理解できる。つまり色彩（１３）が付された内底面は、ビデオカセット使用開始前ではテープが満杯状態であるため色彩（１３）が隠れており、テープが使用されたことで磁気テープ（6）に隠れた色彩（１３）が容易に確認可能となったことになる。この様に一度カセットテープを使用する事で、着色されたリール側の磁気テープが減少していくことが理解できる。その為色彩（１３）が両リールを判断する要素となり、リール(4)とリール(5)を誤認する事がなくなる。
【００２４】
また、磁気テープが使用されていく時間に比例して色彩（１３）の露出度が高まるので、テープ残量が少なくなる警告として感覚的に、色彩の付された内底面が供給側の内底面であることが理解できる。そのため色彩は赤色等の目立つ色で、残量がなくなるという警告を連想する色が好ましい。
【００２５】
供給側の内底面（８）に色彩が付されることの認知度が増し一般的となった場合には、赤色等に限定する必要は無くなる。赤色で警告を連想させなくても色彩は供給側に付されていると認知されている為である。そのため色彩の代用として絵や文字を入れることでも両リールを区別する要素となり、同様の効果が得られる。更には内底面（８）を広告スペースとして利用可能という追加された効果もある。内底面（８）に広告となる書体や絵を施すと、磁気テープが使用される頻度に応じて、広告となる絵の露出が徐々に高まるため、隠れていた絵が突如現れるインパクトのある広告を提供することができる。
これが第一の実施の形態である。
【００２６】
図５、図６を用いて本考案の第二の実施の形態を説明する。
第二の実施の形態では第一の実施の形態の効果に加えて、3等分の色分けがなされているためにテープ残量の程度までも正確に認識することができる。
【００２７】
図５は蓋を除いた状態の平面図であり、説明用の図面である。内底面（８）に3等分の色分けがなされていて、外側から色彩（13a）、色彩（13b）、色彩（13c）とする。しかし図５では色彩（13c）は目視不可能である。図５はテープ残量が半分の状態であり、透明窓部（2）より色彩（13a）と色彩（13b）の途中までが目視できる。色彩（13b）を認識する事によって既に磁気テープが3分の1以上巻き取られたということが把握可能となる。
【００２８】
図６は図５の動作説明を行う説明図である。
図５と比較し供給側リール（4）に巻かれている磁気テープ（6）の量が更に減少し、図５での磁気テープ外周（10b）が図６での磁気テープ外周（10c）に推移している。これに伴い内底面（８）の露出度が変化し、色彩の露出度が高まった事により色彩（１３c）を目視できる。色彩（１３c）を確認する事によって既に磁気テープが3分の2以上巻き取られたということが認識できる。
【００２９】
色分け境界部分（15）よりも細かな目盛り（16）を設けることで、テープ残量の精密な把握ができる。また、目盛り（１６）に応じたテープ残量を付近に記載してもよい。目盛り（１６）に応じた時間表示を読みとる際には、透明窓部（2）を介して内底面を目視し、磁気テープ外周（10c）と、目盛り（16）の一番近い時間表示を読み取ればテープ残量を把握可能となる。
【００３０】
また、色彩（１３a）、色彩（１３b）、色彩（１３c）にそれぞれ「満杯」「中間」「空」や「残量2/3」「残量1/3」「残用0/3」等の文字を記載するとテープ展開状態を明示できる。文字を内底面の色彩に掲載することは第一の実施の形態でも同様に行え、図３や図４における内底面（８）の色彩（１３）に「テープ使用中」のようにテープ展開状態を説明したり、「残量減少中→」の様に矢印をリールの中心に向かせてテープ減少方向を示すことで、第一の実施の形態の効果をより明確なものとすることが可能である。
【００３１】
図７を用いて本考案の第三の実施の形態を説明する。
第三の実施の形態はビデオカセットを有しないオープンリール（３０）であって、リールが単体で存在する形状となる。第三の実施の形態では回転軸(32)に巻かれたテープ(34)の残量を把握することができる。
【００３２】
図７はオープンリール（３０）の斜視図である。一対の面（３１）は平行な二枚の回転面で構成されており、その回転面ともう片方の回転面とを繋ぐ軸が回転軸（３２）となる。回転軸(32)にテープ(34)が半分程巻かれている状態であり、テープ（３４）が、一対の面（３１）に設けられた目盛り（３３）の中央あたりで交差している。これにより巻かれているテープが全体半分程であることがわかる。
【００３３】
第三の実施の形態の使用用途は幅広く、リールにテープ状のものが巻かれていて残量を把握する必要があれば応用できる。例えば音楽用オープンリール、映画用のフィルム、釣糸を巻くリール、LANケーブル施設の際のオープンリール、ラップフィルム製造時のオープンリール、家庭用ホースを束ねるリール、である。
そのため回転軸(32)に巻くテープ(34)にも、テープ以外の用途が考えられる。例えば、釣り糸、LANケーブル、ラップフィルム、ホース、電気コード、紐、綱、鎖、を含む様々なものである。
【００３４】
本考案は前記実施の形態に限定されるものではなく、変形や組合せが可能である。例えば、前記実施の形態において色彩を一色又は三色としてが、それ以上の種類の色を用いてもよい。組合せ例では、図６にて請求項２の複数色の色彩（13a、13b、13c）と、請求項３の目盛り(16)を組み合わせている。他の変形例として、供給側リールの内底面（８）に目盛り（16）や文字を掲載しているが、巻取側リールの内底面（９）でも可能である。
【図面の簡単な説明】
【００３５】
【図１】第一の実施形態を示すビデオカセットの蓋を透過した一点透視図法による斜視図。
【図２】公知文献１を示す斜視図。
【図３】第一の実施形態を示すビデオカセットの蓋を除いた上面図。
【図４】図３のビデオカセットの動作説明用の説明図。
【図５】第二の実施形態を示すビデオカセットの蓋を除いた上面図。
【図６】図５の動作説明用の説明図。
【図７】第三の実施形態を示すオープンリールの斜視図。
【符号の説明】
【００３６】
1    ビデオカセット本体
2    透明窓部
4    供給側リール
5    巻取側リール
6    供給側リールに巻かれている磁気テープ
7    巻取側リールに巻かれている磁気テープ
8    供給側内底面
9    巻取側内底面
10a  磁気テープの外周
10b  磁気テープの外周
10c  磁気テープの外周
10d  磁気テープの外周
12   遷移中のテープ
13   内底面色彩
13a  内底面色彩外側
13b  内底面色彩中間
13c  内底面色彩内側
15   色分け境界部分
16   目盛り
20   公知文献１のラベル
21   公知文献１の目盛り
30   オープンリール
31   一対の面
32   回転軸
33   オープンリールの目盛り
33   オープンリールのテープ
【図１】
0003136284.tif 000003
【図２】
0003136284.tif 000004
【図３】
0003136284.tif 000005
【図４】
0003136284.tif 000006
【図５】
0003136284.tif 000007
【図６】
0003136284.tif 000008
【図７】
0003136284.tif 000009
【手続補正書】
【提出日】平成19年6月25日(2007.6.25)
【手続補正１】
【補正対象書類名】実用新案登録請求の範囲
【補正対象項目名】請求項１
【補正方法】変更
【補正の内容】
【請求項１】
一対のリール間に渡って展開された磁気テープを収納する箱状のビデオカセットであって、このビデオカセット本体（１）を構成している透明窓部（２）と、透明窓部（２）から目視できるリール（４、５）と、前記リール（４、５）を構成している内底面（８、９）と、前記内底面（８、９）の内底面うち少なくとも一方に着色されている色彩（１３）とを有し、公知文献１のラベル（２０）を使用しないことを特徴とするビデオカセット。
【手続補正２】
【補正対象書類名】実用新案登録請求の範囲
【補正対象項目名】請求項４
【補正方法】変更
【補正の内容】
【請求項４】
磁気テープを収納する箱状のビデオカセットを有しないオープンリール（３０）であって、このオープンリール（３０）を構成している一対の面（３１）と、前記一対の面（３１）の回転面ともう片方の回転面とを繋ぐ回転軸（３２）と、テープ（３４）の残量把握用に前記一対の面（３１）のうち少なくとも一方の面に設けた目盛り（３３）もしくは同心円状に色分けした色彩もしくはその組み合わせと、を有することを特徴とするオープンリール。